(57)【要約】【課題】泣き別れ状態となる部分における下地部分の露出が抑制されるように紙器の印刷用画像データを生成する。【解決手段】展開図における絵柄画像の配置領域であるマスク領域を記述したマスクデータを生成する。紙器を組み立てる際の主板同士の固着関係および固着に用いられる主板と副板との関係を記述した固着関係データＤＲに基づいて、固着に用いられる副板の、隣接する主板から連続する一部領域を副板イメージ領域として設定したうえで、副板イメージ領域にも絵柄画像が配置されるように、マスクデータを修正し、あるいはさらにイメージデータをも修正する。修正されたマスクデータに基づいてイメージデータと展開図データとを結合することによって、印刷用画像データを生成する。【選択図】図４
2008310745.tif 000002
【特許請求の範囲】
【請求項１】
紙器についての印刷用画像データを生成する画像処理装置であって、
紙器についての少なくとも１つの展開図を表現する画像データである展開図データと、前記紙器にデザインされる絵柄画像についての画像データであるイメージデータと、前記展開図に基づいて前記紙器を組み立てる際のルールを記述した製函ルールとを取得する取得手段と、
前記展開図データと前記絵柄画像データとを結合する際の前記少なくとも１つの展開図における前記絵柄画像の配置領域であるマスク領域を設定し、前記マスク領域を特定する情報を記述したマスクデータを生成するマスク領域設定手段と、
前記マスクデータに基づいて前記展開図データと前記イメージデータとを結合することにより、前記少なくとも１つの展開図に前記絵柄画像が配置された状態を表現する前記紙器についての印刷用画像データを生成する結合手段と、
前記製函ルールに基づいて、前記紙器を組み立てる際の前記紙器の主板同士の固着関係および固着に用いられる前記紙器の主板と副板との関係を記述した固着関係データを生成する固着関係特定手段と、
前記固着関係データに基づいて、前記紙器において前記固着に用いられる前記副板の当該副板と隣接する前記主板から連続する一部領域を副板イメージ領域として設定し、前記印刷用画像データにおいて前記副板イメージ領域にも絵柄画像が配置されるように前記マスクデータを修正しあるいはさらに前記イメージデータをも修正する前記副板イメージ設定手段と、
を備え、
前記結合手段が、修正された前記マスクデータに基づいて、前記修正された前記マスクデータに対応する前記イメージデータと前記展開図データとを結合する、
ことを特徴とする画像処理装置。
【請求項２】
請求項１に記載の画像処理装置であって、
前記副板イメージ設定手段が、前記印刷用画像データにおいて前記副板イメージ領域が設定された前記副板に固着される前記主板の絵柄画像が前記副板イメージ領域に配置されるように、前記マスクデータと前記イメージデータとを修正する、
ことを特徴とする画像処理装置。
【請求項３】
請求項１に記載の画像処理装置であって、
前記副板イメージ設定手段が、前記印刷用画像データにおいて前記副板イメージ領域に隣接する前記主板から当該副板イメージ領域にまで連続した絵柄画像が配置されるように、前記マスクデータを修正する、
ことを特徴とする画像処理装置。
【請求項４】
請求項１ないし請求項３のいずれかに記載の画像処理装置であって、
前記取得手段が、
前記紙器についての３次元形状データに基づいて前記展開図データと前記製函ルールとを生成する展開図作成手段と、
前記展開図データに基づいて前記イメージデータを作成するイメージデータ作成手段と、
を備えることを特徴とする画像処理装置。
【請求項５】
請求項１ないし請求項３のいずれかに記載の画像処理装置であって、
前記取得手段が、
１つの展開図を表現する単位展開図データを取得するとともに、
前記展開図データとして複数の展開図が多面付けされた状態を表現する多面付展開図データを生成する多面付処理手段を備え、
前記マスク領域設定手段が、前記複数の展開図についての前記マスク領域を設定し、
前記結合手段が、前記マスクデータに基づいて前記多面付展開図データと前記イメージデータとを結合することにより、前記印刷用画像データとしてそれぞれに前記絵柄画像が配置された前記複数の展開図の多面付け状態を表現する面付データを生成する、
ことを特徴とする画像処理装置。
【請求項６】
請求項４に記載の画像処理装置と、前記展開図データに基づいて前記イメージデータを生成するイメージデータ作成手段とを含むデザイン処理装置と、
前記印刷用画像データに基づいて面付処理を行う面付処理装置と、
前記面付処理によって得られた面付データに基づいて紙器印刷物に係る出力処理を行う出力処理装置と、
を備えることを特徴とする紙器作製システム。
【請求項７】
前記展開図データに基づいて前記イメージデータを生成するデザイン処理装置と、
請求項５に記載の画像処理装置を含む面付処理装置と、
前記面付データに基づいて紙器印刷物に係る出力処理を行う出力処理装置と、
を備えることを特徴とする紙器作製システム。
【請求項８】
紙器についての印刷用画像データを生成する方法であって、
紙器についての少なくとも１つの展開図を表現する画像データである展開図データと、前記紙器にデザインされる絵柄画像についての画像データであるイメージデータと、前記展開図に基づいて前記紙器を組み立てる際のルールを記述した製函ルールとを取得する取得工程と、
前記展開図データと前記絵柄画像データとを結合する際の前記少なくとも１つの展開図における前記絵柄画像の配置領域であるマスク領域を設定し、前記マスク領域を特定する情報を記述したマスクデータを生成するマスク領域設定工程と、
前記製函ルールに基づいて、前記紙器を組み立てる際の前記紙器の主板同士の固着関係および固着に用いられる前記紙器の主板と副板との関係を記述した固着関係データを生成する固着関係特定工程と、
前記固着関係データに基づいて、前記紙器において前記固着に用いられる前記副板の当該副板と隣接する前記主板から連続する一部領域を副板イメージ領域として設定する副板イメージ領域設定工程と、
前記印刷用画像データにおいて前記副板イメージ領域にも絵柄画像が配置されるように前記マスクデータを修正しあるいはさらに前記イメージデータをも修正する修正工程と、
前記マスクデータに基づいて前記展開図データと前記イメージデータとを結合することにより、前記少なくとも１つの展開図に前記絵柄画像が配置された状態を表現する前記紙器についての印刷用画像データを生成する結合工程と、
を備え、
前記結合工程においては、修正された前記マスクデータに基づいて、前記修正された前記マスクデータに対応する前記イメージデータと前記展開図データとを結合する、
ことを特徴とする紙器の印刷用画像データ生成方法。
【請求項９】
コンピュータが有するＣＰＵとメモリとを使用することにより、前記コンピュータを請求項１ないし請求項５のいずれかに記載の画像処理装置として動作させることを特徴とするプログラム。
【発明の詳細な説明】
【技術分野】
【０００１】
本発明は、商品パッケージ等に使用される紙器の印刷に用いる印刷用画像データの生成に関する。
【背景技術】
【０００２】
商品パッケージ等に使用される紙器の作製プロセスは通常、その完成形状（３次元形状）を設計する設計工程と、紙器表面に施す絵柄・線画などのデザインを決定し、展開形状（２次元形状）において該デザインに係る画像（絵柄画像）をレイアウトするレイアウト工程と、紙器を構成する厚紙等の素材（紙器構成材）の表面に展開形状像とイメージとの結合画像（紙器画像）の印刷を行う印刷工程と、印刷後の紙器構成材を展開形状に応じて裁断した上で紙器を組み立てる組立工程とからなる。
【０００３】
このうち、設計工程に関しては、紙器設計機能を有するＣＡＤソフトウェアを用いて行うのが一般的である。また、レイアウト工程の作業を容易に行うことができるパッケージデザイン支援装置が公知である。
【０００４】
【特許文献１】特開平８−５０６０５号公報
【発明の開示】
【発明が解決しようとする課題】
【０００５】
紙器の作製プロセスにおいては、紙器の展開形状と絵柄画像配置との関係によっては、紙器の完成状態では連続する画像が、レイアウト工程の段階では不連続な状態で（分割して）配置される、いわゆる「泣き別れ」という状態が生じることがある。このような「泣き別れ」が生じた部分は通常、組立工程において副板等の下地部分（糊代部分）への糊付け（固着）を行うことで完成状態においては連続することとなるが、糊付けの精度が十分でないと、絵柄と絵柄の間に通常は無地の下地部分が見えてしまい、紙器の品質（美観）を損ねてしまうことになる。
【０００６】
係る事態を避ける目的で、糊付けされる下地部分にもその上に重なる絵柄を部分的に配置する（絵柄を補償する）処理が行われることがあるが、従来、このような処理は高いスキルを有する熟練したオペレータが手作業で行うのみであった。
【０００７】
本発明は、上記課題に鑑みてなされたものであり、紙器の組立工程における糊付けの精度が十分でなくても、泣き別れ状態となる部分における下地部分の露出が抑制されるような紙器の印刷用画像データの生成をスキルの低いオペレータが容易に行うことができる装置を提供することを目的とする。
【課題を解決するための手段】
【０００８】
上記課題を解決するため、請求項１の発明は、紙器についての印刷用画像データを生成する画像処理装置であって、紙器についての少なくとも１つの展開図を表現する画像データである展開図データと、前記紙器にデザインされる絵柄画像についての画像データであるイメージデータと、前記展開図に基づいて前記紙器を組み立てる際のルールを記述した製函ルールとを取得する取得手段と、前記展開図データと前記絵柄画像データとを結合する際の前記少なくとも１つの展開図における前記絵柄画像の配置領域であるマスク領域を設定し、前記マスク領域を特定する情報を記述したマスクデータを生成するマスク領域設定手段と、前記マスクデータに基づいて前記展開図データと前記イメージデータとを結合することにより、前記少なくとも１つの展開図に前記絵柄画像が配置された状態を表現する前記紙器についての印刷用画像データを生成する結合手段と、前記製函ルールに基づいて、前記紙器を組み立てる際の前記紙器の主板同士の固着関係および固着に用いられる前記紙器の主板と副板との関係を記述した固着関係データを生成する固着関係特定手段と、前記固着関係データに基づいて、前記紙器において前記固着に用いられる前記副板の当該副板と隣接する前記主板から連続する一部領域を副板イメージ領域として設定し、前記印刷用画像データにおいて前記副板イメージ領域にも絵柄画像が配置されるように前記マスクデータを修正しあるいはさらに前記イメージデータをも修正する前記副板イメージ設定手段と、を備え、前記結合手段が、修正された前記マスクデータに基づいて、前記修正された前記マスクデータに対応する前記イメージデータと前記展開図データとを結合する、ことを特徴とする。
【０００９】
請求項２の発明は、請求項１に記載の画像処理装置であって、前記副板イメージ設定手段が、前記印刷用画像データにおいて前記副板イメージ領域が設定された前記副板に固着される前記主板の絵柄画像が前記副板イメージ領域に配置されるように、前記マスクデータと前記イメージデータとを修正する、ことを特徴とする。
【００１０】
請求項３の発明は、請求項１に記載の画像処理装置であって、前記副板イメージ設定手段が、前記印刷用画像データにおいて前記副板イメージ領域に隣接する前記主板から当該副板イメージ領域にまで連続した絵柄画像が配置されるように、前記マスクデータを修正する、ことを特徴とする。
【００１１】
請求項４の発明は、請求項１ないし請求項３のいずれかに記載の画像処理装置であって、前記取得手段が、前記紙器についての３次元形状データに基づいて前記展開図データと前記製函ルールとを生成する展開図作成手段と、前記展開図データに基づいて前記イメージデータを作成するイメージデータ作成手段と、を備えることを特徴とする。
【００１２】
請求項５の発明は、請求項１ないし請求項３のいずれかに記載の画像処理装置であって、前記取得手段が、１つの展開図を表現する単位展開図データを取得するとともに、前記展開図データとして複数の展開図が多面付けされた状態を表現する多面付展開図データを生成する多面付処理手段を備え、前記マスク領域設定手段が、前記複数の展開図についての前記マスク領域を設定し、前記結合手段が、前記マスクデータに基づいて前記多面付展開図データと前記イメージデータとを結合することにより、前記印刷用画像データとしてそれぞれに前記絵柄画像が配置された前記複数の展開図の多面付け状態を表現する面付データを生成する、ことを特徴とする。
【００１３】
請求項６の発明は、請求項４に記載の画像処理装置と、前記展開図データに基づいて前記イメージデータを生成するイメージデータ作成手段とを含むデザイン処理装置と、前記印刷用画像データに基づいて面付処理を行う面付処理装置と、前記面付処理によって得られた面付データに基づいて紙器印刷物に係る出力処理を行う出力処理装置と、を備えることを特徴とする。
【００１４】
請求項７の発明は、前記展開図データに基づいて前記イメージデータを生成するデザイン処理装置と、請求項５に記載の画像処理装置を含む面付処理装置と、前記面付データに基づいて紙器印刷物に係る出力処理を行う出力処理装置と、を備えることを特徴とする。
【００１５】
請求項８の発明は、紙器についての印刷用画像データを生成する方法であって、紙器についての少なくとも１つの展開図を表現する画像データである展開図データと、前記紙器にデザインされる絵柄画像についての画像データであるイメージデータと、前記展開図に基づいて前記紙器を組み立てる際のルールを記述した製函ルールとを取得する取得工程と、前記展開図データと前記絵柄画像データとを結合する際の前記少なくとも１つの展開図における前記絵柄画像の配置領域であるマスク領域を設定し、前記マスク領域を特定する情報を記述したマスクデータを生成するマスク領域設定工程と、前記製函ルールに基づいて、前記紙器を組み立てる際の前記紙器の主板同士の固着関係および固着に用いられる前記紙器の主板と副板との関係を記述した固着関係データを生成する固着関係特定工程と、前記固着関係データに基づいて、前記紙器において前記固着に用いられる前記副板の当該副板と隣接する前記主板から連続する一部領域を副板イメージ領域として設定する副板イメージ領域設定工程と、前記印刷用画像データにおいて前記副板イメージ領域にも絵柄画像が配置されるように前記マスクデータを修正しあるいはさらに前記イメージデータをも修正する修正工程と、前記マスクデータに基づいて前記展開図データと前記イメージデータとを結合することにより、前記少なくとも１つの展開図に前記絵柄画像が配置された状態を表現する前記紙器についての印刷用画像データを生成する結合工程と、を備え、前記結合工程においては、修正された前記マスクデータに基づいて、前記修正された前記マスクデータに対応する前記イメージデータと前記展開図データとを結合する、ことを特徴とする。
【００１６】
請求項９の発明は、コンピュータが有するＣＰＵとメモリとを使用することにより、前記コンピュータを請求項１ないし請求項５のいずれかに記載の画像処理装置として動作させることを特徴とする。
【発明の効果】
【００１７】
請求項１ないし請求項９の発明によれば、副板イメージ領域にも絵柄画像が配置されるようにする処理（絵柄補償処理）を行うことで、いわゆる「泣き別れ状態」にある部分について紙器の組み立て工程において主板同士が設計通りの位置から多少ずれて固着されたとしても、無地の下地が露出してしまうことが抑制されるので、紙器の品質の劣化をデザイン工程の段階で抑制することができる。また、絵柄補償処理は、製函ルールに基づいて記述された固着関係データを参照しつつ行われるので、オペレータがマニュアルで絵柄画像の取捨選択や回転・合成などを行う必要はない。よって、スキルの低いオペレータであっても、容易に絵柄補償処理を行うことができる。
【００１８】
特に、請求項５および請求項７の発明によれば、絵柄補償処理を複数の紙器について一括して行うことができる。
【発明を実施するための最良の形態】
【００１９】
＜紙器作製システムの概要＞
図１は、本発明の紙器作製システム１０の構成を模式的に示す図である。紙器作製システム１０は、デザイン処理装置１と、紙器形状データ生成装置２と、面付処理装置３と、出力処理装置４とを備える。
【００２０】
デザイン処理装置１は、紙器の展開形状像に基づいて、紙器表面に施す絵柄画像（文字、・線画・絵柄などを含む画像をこのように総称するものとする）を表すイメージデータを生成する。デザイン処理装置１は、一般的に使用されるパーソナルコンピュータなどの汎用コンピュータによって実現可能である。後述する第１の実施の形態においては、デザイン処理装置１は、展開形状像と絵柄画像との結合画像（紙器画像）を表すレイアウトデータを生成する処理をも担う。係る場合、レイアウトデータは、紙器の展開形状を表現する展開図データにイメージデータを結合する（合成する）ことによって生成される。なお、レイアウトデータは、文字・線画・絵柄を含む絵柄画像を表現しうる所定の形式にて記述された印刷用画像データである。例えばＰＤＦなど、所定のページ記述言語で記述されるが好適な一例である。あるいは、あらかじめ、出力処理装置４で処理可能なビットマップ形式（1bit tiff形式など）で記述されていてもよい。
【００２１】
紙器形状データ生成装置２は、紙器の３次元形状を表現する３次元データである紙器形状データを生成する処理を担う装置である。係る紙器形状データ生成装置２は、いわゆるＣＡＤ装置によって実現可能である。なお、紙器形状データ生成装置２は、該３次元データに基づいて紙器の展開形状を表現する２次元画像データ（展開図データ）を生成する処理や、該紙器についての組立ルールである製函ルールを生成する処理をも行えるようになっていてもよい。あるいは、紙器形状データ生成装置２は、種々の形状の紙器を表現する複数の紙器形状データをあらかじめ記憶してなるデータベースとして機能する態様であってもよい。
【００２２】
面付処理装置３は、面付処理を担う装置である。すなわち、一度の印刷で紙器構成材に複数の紙器についての紙器画像が形成されるように、複数の紙器画像が２次元的に配置された状態を表現する面付データを生成する。面付処理装置３は、一般的に使用されるパーソナルコンピュータなどの汎用コンピュータによって実現可能である。後述する第２の実施の形態においては、面付処理装置３は、複数の展開形状像を多面付けした上で、それぞれの展開形状像に絵柄画像を結合する（合成する）ことによって面付データが生成される。なお、面付処理装置３がラスタライズ処理機能を備え、レイアウトデータがページ記述言語で記述されている場合に、該レイアウトデータに基づいて、出力処理装置４で処理可能なビットマップ形式（1bit tiff形式など）のデータに変換するようになっていてもよい。
【００２３】
出力処理装置４は、面付データに基づく出力処理を担う。ここで、出力処理とは、面付データに基づく紙器構成材への印刷処理、あるいは、係る印刷処理を実現するための印刷版（刷版）の作製処理を指し示すものとする。
【００２４】
出力処理装置４は、例えばＣＴＰ装置であり、面付処理装置３において生成された面付データに基づいて刷版を生成する。係る場合、図示しない印刷装置において該刷版を用いた印刷が行われる。あるいは、出力処理装置４が、刷版の不要な無版印刷を出力処理として行うことができる無版印刷装置であってもよい。係る場合は、面付データに基づくデジタル印刷が行われることになる。
【００２５】
なお、出力処理装置４がラスタライズ処理機能を備え、レイアウトデータがページ記述言語で記述されている場合に、該レイアウトデータに基づいて、出力処理装置４で処理可能なビットマップ形式（1bit tiff形式など）のデータに変換するようになっていてもよい。
【００２６】
なお、図１に示す紙器作製システム１０においては、各装置がネットワークＮに接続されている場合を例示している。係る場合、該ネットワークＮを通じて必要なデータを各装置の間で授受することができる。ただし、所定の記録メディアをやりとりすることでデータの授受ができる場合であれば、必ずしも各装置がネットワークＮに接続されている必要はない。
【００２７】
＜展開図と製函ルール＞
図２は、本発明の適用対象の一例としての紙器の展開図ｄｖ１を示す図である。紙器形状データに基づき作成された展開図データの記述内容を視覚的に表現したものが、図２の展開図ｄｖ１に相当する。図２に示す展開図ｄｖ１は、組み立てることによって略立方体状の紙器を構成するものである。
【００２８】
なお、紙器においてデザインの主たる対象となる表面部分を主板と称する。換言すれば、主板とは、展開図ｄｖ１において絵柄・線画などのデザインが配置される部分である。例えば、展開図ｄｖ１は正方形状の６つの主板ｍｂを備える。これに対して、主板以外の部分、例えば、タックや、フラップや、グルーフラップなどの部分を副板と総称する。
【００２９】
展開図ｄｖ１には、主板ｍｂについて、製函ルールの記述に用いられる記号を併せて示している。製函ルールにおいては、それぞれの主板ｍｂが互いに識別可能とされることが必要である。図２では、それぞれの主板ｍｂにＡ、Ｂ、Ｃ、Ｄ、Ｅ、Ｆという記号が付されている。それぞれの記号が付された主板ｍｂを主板ｍｂ（Ａ）、主板ｍｂ（Ｂ）・・・などとも称することとする。また、それぞれの主板ｍｂは、重複するものも含め、４つの辺を備える。さらに、製函ルールにおいては、それぞれの主板ｍｂの４つの辺についても、一意に識別される必要がある。図２では、これらの辺についても記号が付されている。図２では、辺を意味する下線を付したうえで反時計回りにＡ１〜Ａ４などと記述することで、各辺に記号が付されている。なお、各主板に対して同様の規則に則ってそれぞれの辺の記号を付すことで、辺の番号の関係から、紙器が組み立てられた場合の主板ｍｂ同士の向きの関係、さらには組立の際に重なり合う副板と主板の向きの関係を一意に特定できる。係る関係は、後述する絵柄補償処理において利用される。
【００３０】
さらに、展開図ｄｖ１においては、いくつかの主板ｍｂには副板ｓｂが隣接する。製函ルールにおいては、これらにも一意に識別するための記号が用いられる。図２では、副板ｓｂを、隣接する主板ｍｂの記号を用いて記述する場合を例示している。例えば、主板ｍｂ（Ｂ）に隣接する２つの副板ｓｂはそれぞれ、副板ｓｂ（Ｂ−ｆ１）、副板ｓｂ（Ｂ−ｆ２）と称される。
【００３１】
＜第１の実施の形態＞
＜概要＞
本発明の第１の実施の形態においては、紙器作製システム１０を構成する装置のうち、デザイン処理装置１が本発明に係る画像処理装置として機能する場合について説明する。係る場合、デザイン処理装置１においてイメージデータと展開図データとが結合されることによってレイアウトデータが生成される。該レイアウトデータは、面付処理装置３に与えられ、面付処理装置３においては、このレイアウトデータに基づき、該レイアウトデータによって表現される紙器画像が２次元的に繰り返し配置された状態を表現する面付データを生成する。
【００３２】
＜デザイン処理装置の構成＞
図３は、第１の実施の形態に係るデザイン処理装置１の構成を模式的に示す図である。また、図４は、主にデザイン処理装置１における種々のデータの流れを模式的に示す図である。
【００３３】
デザイン処理装置１は、一般的に使用されているパーソナルコンピュータであり、ＣＰＵ１１、表示部１２、入力部１３、ネットワークＩ／Ｆ１４、メディアドライブ１５、記憶部１６、メモリ１７より構成されている。
【００３４】
ＣＰＵ１１は、デザイン処理装置１の全体を制御する。特に、メディアドライブ１５に挿入されたメディアディスク１８に記録されているプログラム１６１をメモリ１７において実行することによって、デザイン処理装置１の機能を実現する。表示部１２は、デザイン処理装置１において実行される、後述する所定の処理に際して、必要な情報を表示するために使用される。入力部１３は、マウスやキーボードで構成されており、デザイン処理装置１のオペレータがデザイン処理装置１に対して所定の指示を入力する際に使用される。ネットワークＩ／Ｆ１４は、デザイン処理装置１とネットワークＮとを接続するためのものである。ネットワークＩ／Ｆ１４を介して、デザイン処理装置１は紙器形状データ生成装置２や面付処理装置３などとの間でデータの授受を行う。メディアドライブ１５は、メディアディスク１８に記録されているプログラム１６１やあるいはその他所定のデータを読み取るために使用する。記憶部１６は、メディアドライブ１５で読み取られたプログラム１６１やその他のデータを格納する。
【００３５】
メモリ１７は、記憶部１６によって記憶されたプログラム１６１をＣＰＵ１１が実行するためのワークエリアである。ＣＰＵ１１によってプログラム１６１が実行された結果、メモリ１７において、展開図作成部１７１と、イメージ作成部１７２と、マスク領域作成部１７３と、固着関係特定部１７４と、副板イメージ設定部１７５と、イメージ−展開図結合部１７６と、イメージ添付展開図出力部１７７とが実現される。
【００３６】
展開図作成部１７１は、紙器形状データ生成装置２において生成された紙器形状データＤＳを、ネットワークＮを介して、あるいはメディアドライブ１５においてメディアディスク１８から読み取ることで取得し、該紙器形状データＤＳによって表現される紙器の展開図を表す展開図データＤＤを作成する。展開図データＤＤは、ページ記述言語で記述されているのが好適ではあるが、ビットマップ形式で記述されていてもよい。加えて、展開図作成部１７１は、該展開図における主板や副板となる部分を特定する情報や、該展開図に基づいて紙器を組み立てる際に糊付けする副板を特定する情報などを定義した、製函ルールＲＬを生成する。製函ルールＲＬの記述形式は、後段の処理において参照可能である限り、特に限定されない。係る展開図作成部１７１の機能は、公知の技術によって実現可能である。
【００３７】
なお、上述のように、紙器形状データ生成装置２が展開図データＤＤをも生成する場合、展開図作成部１７１は展開図データＤＤを紙器形状データ生成装置２から取得し、該展開図データＤＤに基づいて製函ルールＲＬを生成する態様でもよい。
【００３８】
イメージ作成部１７２は、オペレータが紙器の絵柄・線画などのデザイン（絵柄画像）を施すイメージ作成処理を実現する。本実施の形態に係るイメージ作成処理においては、展開図データＤＤによって表現される展開図を対象として、紙器のデザインが施されるものとする。オペレータは、イメージ作成部１７２によって実現されるイメージ作成処理の図示しない種々の処理メニューを、入力部１３を適宜に操作することで利用しながら、紙器のデザインを行う。イメージ作成部１７２は、係るデザインの内容を記述した第１イメージデータＤＩ１を作成する。好ましくは、第１イメージデータＤＩ１は、展開図データＤＤと同じ形式にて記述される。
【００３９】
第１イメージデータＤＩ１においてデザインの対象とされるのは主に主板ｍｂの部分であるが、裁断ずれによる絵柄画像のずれの防止や、後述する絵柄補償処理の要請から、イメージ作成処理においては、展開図において主板ｍｂが占める領域（図２に示す展開図ｄｖ１であれば主板ｍｂ（Ａ）〜主板ｍｂ（Ｆ）が占める領域）よりも所定範囲だけ大きな領域を対象としてデザインが行われる。換言すれば、いわゆる塗り足しに相当する処理を行うようにされる。図５は、係る場合の絵柄画像の作成領域ＲＥ１を例示する図である。図５において破線で囲まれた領域が絵柄画像の作成領域ＲＥ１に相当する。
【００４０】
イメージ作成部１７２の機能は、例えば、プログラム１６１の一部を構成する、３次元形状物へのデザイン処理が可能なグラフィックソフトウェアによって実現される。
【００４１】
なお、本実施の形態においては、展開図作成部１７１が展開図データＤＤおよび製函ルールＲＬを作成する場合も含め、展開図作成部１７１が展開図データＤＤおよび製函ルールＲＬを取得する手段であると捉えることができる。また、イメージ作成部１７２が第１イメージデータＤＩ１を作成する態様についても、イメージ作成部１７２が第１イメージデータＤＩ１を取得する手段である、と捉えることができる。すなわち、展開図作成部１７１およびイメージ作成部１７２は、本発明の取得手段を構成すると捉えられる。
【００４２】
マスク領域作成部１７３は、展開図データＤＤに基づいて、該展開図データＤＤが表現する展開図における絵柄画像の配置領域を表すマスク領域を特定するマスク作成処理を実現する。マスク作成処理は、展開図上で絵柄画像が配置される領域を設定する処理に相当する。従って、主板ｍｂのみにデザインが施される場合であれば、少なくとも主板ｍｂの領域のみがマスク領域として特定されていればよいことになる。ただし、後工程である裁断工程における裁断ずれの発生などを考慮して、例えば展開図において何も隣接していない主板ｍｂの端部部分などでは、主板ｍｂの周囲の領域にまで絵柄画像が合成されるように、マスク領域が定められる。図６は、係る場合のマスク領域ＲＥ２を例示する図である。斜線部がマスク領域ＲＥ２に相当する。
【００４３】
なお、図６においては副板ｓｂはマスク領域ＲＥ２に含まれてはいないが、副板ｓｂにまで絵柄画像が配置されるような場合は、副板ｓｂにまで掛かるようにマスク領域ＲＥ２が形成される。
【００４４】
マスク領域作成部１７３は、上述のようなマスク作成処理によって特定されたマスク領域の設定内容を記述した第１マスクデータＤＭ１を生成する。第１マスクデータＤＭ１および該第１マスクデータＤＭ１の一部を修正することによって生成される第２マスクデータＤＭ２は、後述する絵柄画像と展開図との合成に際して参照可能である限り、特にその形式は限定されない。係る第１マスクデータＤＭ１の作成は、あらかじめ設定された所定の作成条件に基づいてマスク領域作成部１７３が自動的に行う態様であってもよいし、表示部１２に展開図を表示させた状態で、オペレータが入力部１３を介してマニュアルでマスク領域を設定することによって行われてもよい。
【００４５】
固着関係特定部１７４は、製函ルールＲＬに基づいて、展開図の状態では離れているものの組み立て時に隣接することになる主板同士の関係（これは組み立て時に糊付けされる主板と副板との関係でもある）である固着関係を特定し、その内容を記述した固着関係データＤＲを生成する処理を担う。固着関係データＤＲの生成は、製函ルールＲＬの記述内容を参照して自動的に行われる態様であってもよいし、表示部１２に表示された展開図や製函ルールＲＬを参照しつつ、オペレータが入力部１３を操作することで生成する態様であってもよい。固着関係データＤＲの記述形式は、後段の処理において参照可能である限り、特に限定されない。
【００４６】
図７は、図２に例示した展開図ｄｖ１についての固着関係データＤＲの記述内容を例示する図である。固着関係特定部１７４は、製函ルールＲＬにおいて規定されている展開図ｄｖ１における主板ｍｂおよび副板ｓｂの配置関係に基づき、各部に付された記号を用いて、固着関係データＤＲを生成する。図７の例示では、紙器の完成形状において隣接する主板ｍｂ同士を「Ｂ＿Ｆ」などとアンダーバーで関係づけるとともに、完成形状において同一辺となるこれらの主板ｍｂの辺同士を「Ｂ１＿Ｆ１」などとアンダーバーで関係づけることによって固着関係データＤＲが記述されてなる。なお、［  ］は、主板同士が固着（糊付け）される場合にのみ適用されることを示している。また、図７に例示した固着関係データＤＲにおいては、副板ｓｂが隣接している方の主板ｍｂ（あるいは対応する辺）を、先に記述するようにされてなる。
【００４７】
副板イメージ設定部１７５は、副板の所定領域に、隣接する主板あるいは糊付けによって該副板と重ね合わされる主板に対してデザインされる絵柄画像の一部を、該副板の所定領域にも合成配置させるための処理を担う。これは、いわゆる「泣き別れ」が生じる部分について、組立工程における糊付けの精度が十分ではないことに起因して絵柄と絵柄の間に通常は無地の下地部分が見えてしまうことを防ぐべく、糊付けされる下地部分にもその上に重なる絵柄を部分的に配置するための処理（絵柄補償処理）である。
【００４８】
具体的には、副板イメージ設定部１７５は、絵柄補償処理の要否を設定する処理、絵柄補償処理を行う場合の副板における絵柄画像の配置範囲を設定する処理、および、固着関係データＤＲに記述された固着関係に基づいて、それぞれの副板に配置する絵柄画像を決定する処理などを担う。
【００４９】
なお、係る絵柄補償処理の際には、マスク領域作成部１７３において作成された第１マスクデータＤＭ１によって特定されるマスク領域が、適宜に修正される。係る修正後のマスク領域を記述するデータを第２マスクデータＤＭ２と称する。あるいはさらに、第１イメージデータＤＩ１が副板部分に配置する絵柄画像の内容を付加されたデータに修正される。係る修正後のデータを第２イメージデータＤＩ２と称する。
【００５０】
係る副板イメージ設定部１７５において行われる絵柄補償処理の詳細については後述する。
【００５１】
イメージ−展開図結合部１７６は、第２マスクデータＤＭ２によって特定されるマスク領域に基づいて、展開図データＤＤと第２イメージデータＤＩ２とを結合（合成）して、紙器の展開図に該絵柄画像を配置した状態を表す紙器画像（イメージ添付展開図）を記述するレイアウトデータＤＬを生成する。
【００５２】
イメージ添付展開図出力部１７７は、イメージ−展開図結合部１７６において生成されたレイアウトデータＤＬを面付処理装置３へと出力する処理を担う。
【００５３】
＜絵柄補償処理＞
図８および図９は、副板イメージ設定部１７５の作用によって実現される絵柄補償処理の概念を説明するための図である。ここでは、特に主板ｍｂ（Ｂ）に関係する箇所を例として説明する。なお、副板ｓｂにおいて主板ｍｂの絵柄画像の一部が配置される領域を、副板イメージ領域ＲＥｓと称する。
【００５４】
主板ｍｂ（Ｂ）については、図２そのものから、あるいは図７に示す固着関係データＤＲからわかるように、主板ｍｂ（Ａ）、主板ｍｂ（Ｅ）、あるいは主板ｍｂ（Ｆ）との間で「泣き別れ」が生じる。そこで、オペレータが入力部１３を介して絵柄補償処理の実行を指示した場合、副板イメージ設定部１７５の作用によって、主板ｍｂ（Ｂ）に隣接する副板ｓｂに対し副板イメージ領域ＲＥｓが設定される。例えば図８は、主板ｍｂ（Ｂ）に隣接する副板ｓｂ（Ｂ−ｆ１）、Ｂ−ｆ２に対して、副板イメージ領域ＲＥｓが設定された場合を示している。なお、図示は省略するが、主板ｍｂ（Ｂ）と主板ｍｂ（Ｅ）との間では副板ｓｂ（Ｅ−ｆ１）を用いて固着がなされるので、副板ｓｂ（Ｅ−ｆ１）にも同様に副板イメージ領域ＲＥｓが設定される。
【００５５】
副板イメージ領域ＲＥｓの設定幅ｗは、オペレータによってあらかじめ所定の値が設定されるものとする。なお、設定幅ｗとは、図８に示すように、副板ｓｂに隣接する主板ｍｂの隣接辺を基準位置としたときの該隣接辺に垂直な方向における副板イメージ領域ＲＥｓの配置範囲のことをいう。なお、副板イメージ領域ＲＥｓは、絵柄画像の作成領域ＲＥ１の範囲内で（作成領域ＲＥ１からはみ出ることのないように）設定される。
【００５６】
このように設定された副板イメージ領域ＲＥｓに配置される絵柄画像を設定する方法（絵柄画像設定方法）には、２通りのものがある。
【００５７】
まず、第１の絵柄画像設定方法は、副板イメージ領域ＲＥｓに隣接する主板ｍｂのデザインを該副板イメージ領域ＲＥｓにまで拡張するという方法である。これは、具体的には、該副板イメージ領域ＲＥｓへのマスク領域ＲＥ２の拡張という処理によって実現される。
【００５８】
上述したように、第１イメージデータＤＩ１は、主板ｍｂよりも範囲が広い作成領域ＲＥ１を対象としてデザインがなされた絵柄画像を記述するデータである。そして、副板イメージ領域ＲＥｓは、通常はマスク領域ＲＥ２には含まれていないが、作成領域ＲＥ１には含まれている領域である。よって、例えば図９の副板ｓｂ（Ｂ−ｆ１）の場合であれば、矢印ＡＲ１で示すように、該副板イメージ領域ＲＥｓが含まれるようにマスク領域ＲＥ２を拡張すれば、主板ｍｂ（Ｂ）から隣接する副板ｓｂ（Ｂ−ｆ１）の副板イメージ領域ＲＥｓにまで絵柄画像が連続することになる。
【００５９】
そこで、副板イメージ設定部１７５は、オペレータによって第１の絵柄画像設定方法による処理の実行が指示された場合、固着関係データＤＲを参照して、それぞれの副板ｓｂに副板イメージ領域ＲＥｓを設定するとともに、第１マスクデータＤＭ１に記述されているマスク領域ＲＥ２をそれぞれの主板ｍｂに隣接して設定された副板イメージ領域ＲＥｓにまで拡張した第２マスクデータＤＭ２を生成する。
【００６０】
このようにしておけば、糊付け時に主板ｍｂ（Ｂ）と主板ｍｂ（Ｆ）とが設計通りの位置から多少ずれて固着されたとしても、下地である副板ｓｂ（Ｂ−ｆ１）にも絵柄画像が形成されているので、無地の下地が露出してしまう場合に比して、紙器の美観が好適に保たれることになる。
【００６１】
なお、絵柄画像が副板ｓｂにも配置されるように第１イメージデータＤＩ１が記述されてなる場合は、第１マスクデータＤＭ１もマスク領域ＲＥ２が副板イメージ領域ＲＥｓを含むように記述されてなる。従って、このときは、第１の絵柄画像設定方法で得られる状況が、マスク作成の段階であらかじめ実現されていることになる。
【００６２】
次に、第２の絵柄画像設定方法は、副板イメージ領域ＲＥｓに糊付けされる（該副板イメージ領域ＲＥｓを含む副板ｓｂに隣接していない）主板ｍｂの、糊付け後に該副板イメージ領域ＲＥｓと重なる部分についての絵柄画像を、該副板イメージ領域ＲＥｓの絵柄画像として用いる方法である。これは、当該部分についての絵柄画像の複製と合成という処理によって実現される。
【００６３】
例えば図９の副板ｓｂ（Ｂ−ｆ２）の場合であれば、固着関係データＤＲより、主板ｍｂ（Ｂ）は主板ｍｂ（Ａ）に糊付けされるので、主板ｍｂ（Ａ）において副板イメージ領域ＲＥｓと重なることになる。より詳細には、固着関係データＤＲによれば辺Ｂ２と辺Ａ１とが一致するように糊付けされるので、主板ｍｂ（Ｂ）に隣接している副板ｓｂ（Ｂ−ｆ２）に設定された副板イメージ領域ＲＥｓは、主板ｍｂ（Ａ）の辺Ａ１から設定幅ｗの領域と重なることになる。よって、係る領域についての絵柄画像（図９における網掛け部分）を取得して、副板ｓｂ（Ｂ−ｆ２）に設定された副板イメージ領域ＲＥｓについての絵柄画像として採用し、さらに該副板イメージ領域ＲＥｓにまでマスク領域ＲＥ２を拡張すれば、主板ｍｂ（Ｂ）の絵柄画像に糊付け後に隣接することになる主板ｍｂ（Ａ）の画像の一部が連続する状態が実現されることになる。
【００６４】
なお、この場合、図２に示すように、展開図上において辺Ｂ２と辺Ａ１とは９０°回転することで一致する関係にあるので、採用された絵柄画像は９０°回転させたうえで副板ｓｂ（Ｂ−ｆ２）についての副板イメージ領域ＲＥｓとして採用されることになる。ちなみに、副板ｓｂ（Ｂ−ｆ１）を対象に第２の絵柄画像設定方法の実行がなされる場合は、主板Ｆの絵柄画像が１８０°回転を与えられたうえで副板ｓｂ（Ｂ−ｆ１）についての絵柄画像として採用されることになる。これらを含め、図２に示したように辺を特定する場合については、組み立てに際して同じ番号同士の辺が一致する箇所は１８０°回転が必要で、互いに１だけ番号がずれている辺が一致する箇所では９０°回転が必要で、２だけ番号がずれている辺が一致する箇所では回転が不要、ということになる。
【００６５】
以上のことを踏まえ、副板イメージ設定部１７５は、オペレータによって第２の絵柄画像設定方法による処理の実行が指示された場合、固着関係データＤＲを参照して、それぞれの副板ｓｂに副板イメージ領域ＲＥｓを設定し、さらに第１イメージデータＤＩ１からそれぞれの副板ｓｂに設定された副板イメージ領域ＲＥｓに重なる主板ｍｂの部分についての絵柄画像を表現する部分イメージデータを取得して、該部分イメージデータを対応する副板イメージ領域ＲＥｓに配置されるデータとして適宜回転を加えた上で第１イメージデータＤＩ１に合成することによって第２イメージデータＤＩ２を生成する。なお、第１イメージデータＤＩ１において副板イメージ領域ＲＥｓに対する絵柄画像が与えられている場合には、当該領域の画像が書き換えられることになる。加えて、副板イメージ設定部１７５は、第２イメージデータＤＩ２の生成に併せて、第１マスクデータＤＭ１に記述されているマスク領域ＲＥ２をそれぞれの主板ｍｂに隣接して設定された副板イメージ領域ＲＥｓにまで拡張した第２マスクデータＤＭ２を生成する。図１０は、第２マスクデータＤＭ２に記述されてなるマスク領域ＲＥ２の、主板ｍｂ（Ｂ）の近傍の様子を例示する図である。
【００６６】
第２の絵柄画像設定方法を採用した場合も、第１の絵柄画像設定方法を採用した場合と同様に、糊付け時に主板ｍｂ（Ｂ）と主板ｍｂ（Ａ）とが設計通りの位置から多少ずれて固着されたとしても、下地である副板ｓｂ（Ｂ−ｆ２）にも絵柄画像が形成されているので、無地の下地が露出してしまう場合に比して、紙器の美観が好適に保たれることになる。
【００６７】
なお、以上のような絵柄補償処理は、必ずしもすべての副板ｓｂについて一括にその実行の有無を設定する必要はなく、副板イメージ領域ＲＥｓの設定までは一律に行い、その後のイメージの拡張や合成については、紙器のデザイン内容に応じて、個々の副板ｓｂについて個別に設定する態様であってもよい。
【００６８】
＜レイアウトデータの生成手順＞
図１１は、本実施の形態に係るデザイン処理装置１におけるレイアウトデータＤＬの生成までの手順を示す図である。以下の説明においては、副板イメージ領域ＲＥｓの設定までは一律に行い、その後のイメージの拡張や合成については、紙器のデザイン内容に応じて、個々の副板ｓｂについて個別に設定する場合を対象として説明する。
【００６９】
まず、入力部１３を介してオペレータから与えられる所定の取得指示に応答して、デザイン処理装置１において、紙器形状データ生成装置２から紙器形状データＤＳが取得される（ステップＳ１）。この紙器形状データＤＳに基づいて、展開図作成部１７１が、該紙器についての展開図を表現する展開図データＤＤを生成・取得する（ステップＳ２）。
【００７０】
オペレータは、イメージ作成部１７２によって実現される、イメージ作成処理機能を用いて、紙器形状データＤＳによって表現される紙器についてのデザインを作成する（ステップＳ３）。イメージ作成部１７２は、係るデザインの内容を記述した第１イメージデータＤＩ１を生成する。なお、係るデザインの作成は、展開図データＤＤにおいて表現される展開形状像を対象として行われる。
【００７１】
また、展開図作成部１７１が、さらに該展開図についての製函ルールＲＬを生成・取得する（ステップＳ４）。なお、展開図データＤＤおよび製函ルールＲＬは、展開図作成部１７１において生成する代わりに、紙器形状データ生成装置２から取得してもよい。
【００７２】
次に、マスク領域作成部１７３の作用により、該展開図データＤＤについてのマスク作成処理が行われ、第１マスクデータＤＭ１が生成される（ステップＳ５）。
【００７３】
次に、固着関係特定部１７４が、製函ルールＲＬに基づいて、展開図データＤＤによって表現される展開図ｄｖ１における主板ｍｂの固着関係を特定し、固着関係データＤＲを生成する（ステップＳ６）。
【００７４】
得られた固着関係データＤＲに基づいて、副板イメージ設定部１７５が、それぞれの副板ｓｂに副板イメージ領域ＲＥｓを設定する（ステップＳ７）。副板イメージ領域ＲＥｓは、あらかじめ指定された設定幅ｗを有するように設定される。
【００７５】
副板イメージ領域ＲＥｓが設定されると、オペレータによって、個々の副板イメージ領域ＲＥｓについて、絵柄補償処理の要否が設定される（ステップＳ８）。絵柄補償処理を行うよう設定された副板イメージ領域ＲＥｓについては、絵柄補償処理が実行される（ステップＳ９）。すなわち、副板イメージ設定部１７５の作用により、隣接する主板ｍｂあるいは重なり合う主板ｍｂのイメージの一部を該副板イメージ領域ＲＥｓのイメージとして取得する処理が実行される。具体的には、オペレータによって選択された第１あるいは第２の絵柄画像設定方法のいずれかによる、第２マスクデータＤＭ２の生成および第２イメージデータＤＩ２の生成が行われることになる。
【００７６】
一方、絵柄補償処理を行わないよう設定された副板イメージ領域ＲＥｓについては、設定された副板イメージ領域ＲＥｓは無視され、第１マスクデータＤＭ１で特定されたマスク領域がそのまま維持される（ステップＳ１０）。
【００７７】
絵柄補償処理が行われると、イメージ−展開図結合部１７６の作用により、該絵柄補償処理を経ることで得られた第２イメージデータＤＩ２と展開図データＤＤとが結合され、イメージが配置された状態の展開図を表現するレイアウトデータＤＬが生成される（ステップＳ１１）。得られたレイアウトデータＤＬは、面付処理装置３によって行われる面付工程に供される（ステップＳ１２）。
【００７８】
以上、説明したように、本実施の形態においては、デザイン処理装置１における展開図と絵柄画像との結合（合成）に先立って、絵柄画像に対して第１あるいは第２の絵柄画像設定方法のいずれかによる絵柄補償処理を行うことで、糊付け時に主板同士が設計通りの位置から多少ずれて固着されたとしても、無地の下地が露出してしまうことが抑制されるので、紙器の品質（美観）の劣化をデザイン工程の段階で抑制することができる。また、絵柄補償処理は、製函ルールＲＬに基づいて記述された固着関係データＤＲを参照しつつ行われるので、オペレータがマニュアルで絵柄画像の取捨選択や回転・合成などを行う必要はない。よって、スキルの低いオペレータであっても、容易に絵柄補償処理を行うことができる。
【００７９】
＜第２の実施の形態＞
＜概要＞
本発明の第２の実施の形態においては、紙器作製システム１０を構成する装置のうち、面付処理装置３が本発明に係る画像処理装置として機能する場合について説明する。本実施の形態においては、デザイン処理装置１が各主板についての絵柄画像を生成するイメージデータ生成処理を担うものの、展開形状像と絵柄画像との合成は行わない。これに代わり、面付処理装置３においてまず複数の展開形状像を多面付けした上で、それぞれの展開形状像に絵柄画像を結合する（合成する）ことによって、面付データが生成される。
【００８０】
＜面付処理装置の構成＞
図１２は、第２の実施の形態に係る面付処理装置３の構成を模式的に示す図である。図１３は、面付処理装置３に与えられるデータを説明する図である。また、図１４は、面付処理装置３における種々のデータの流れを模式的に示す図である。
【００８１】
面付処理装置３は、第１の実施の形態に係るデザイン処理装置１と同様に、一般的に使用されているパーソナルコンピュータによって実現される。係る面付処理装置３は、ＣＰＵ３１、表示部３２、入力部３３、ネットワークＩ／Ｆ３４、メディアドライブ３５、記憶部３６、メモリ３７より構成されている。すなわち、面付処理装置３は、第１の実施の形態に係るデザイン処理装置１が備えるものと同様の構成要素を有する。
【００８２】
ＣＰＵ３１は、面付処理装置３の全体を制御する。特に、メディアドライブ３５に挿入されたメディアディスク３８に記録されているプログラム３６１をメモリ３７において実行することによって、面付処理装置３の機能を実現する。表示部３２は、面付処理装置３において実行される、後述する所定の処理に際して、必要な情報を表示するために使用される。入力部３３は、マウスやキーボードで構成されており、面付処理装置３のオペレータが面付処理装置３に対して所定の指示を入力する際に使用される。ネットワークＩ／Ｆ３４は、面付処理装置３とネットワークＮとを接続するためのものである。ネットワークＩ／Ｆ３４を介して、面付処理装置３はデザイン処理装置１や出力処理装置４などとの間でデータの授受を行う。メディアドライブ３５は、メディアディスク３８に記録されているプログラム３６１やあるいはその他所定のデータを読み取るために使用する。記憶部３６は、メディアドライブ３５で読み取られたプログラム３６１やその他のデータを格納する。
【００８３】
メモリ３７は、記憶部３６によって記憶されたプログラム３６１をＣＰＵ３１が実行するためのワークエリアである。ＣＰＵ３１によってプログラム３６１が実行された結果、メモリ３７において、データ取得部３７１と、展開図多面付部３７２と、マスク領域作成部３７３と、固着関係特定部３７４と、副板イメージ設定部３７５と、イメージ−展開図結合部３７６と、イメージ添付展開図出力部３７７とが実現される。
【００８４】
本実施の形態においては、図１３に示すように、紙器形状データ生成装置２が紙器形状データを生成した上で、さらに該紙器形状データによって表現される紙器の展開図データＤＤと該紙器についての製函ルールＲＬをも生成する。本実施の形態においても、製函ルールＲＬの記述形式は、後述する処理において参照可能である限り、特に限定されない。
【００８５】
また、デザイン処理装置１においては、第１の実施の形態と同様に、展開図データＤＤが表現する紙器についてのデザインが行われ、第１イメージデータＤＩ１が生成される。本実施の形態においても、第１イメージデータＤＩ１は、展開図において主板ｍｂが占める領域よりも所定範囲だけ大きな領域を対象として生成されてなるものとする。
【００８６】
紙器形状データ生成装置２において得られた展開図データＤＤおよび製函ルールＲＬと、デザイン処理装置１において生成された第１イメージデータとは、ネットワークＮを介して、あるいはメディアドライブ１５においてメディアディスク１８から読み取ることで、面付処理装置３のデータ取得部３７１によって取得される。
【００８７】
展開図多面付部３７２は、データ取得部３７１によって取得された展開図データＤＤに基づいて、該展開図データＤＤによって表現される紙器の展開形状像を２次元的に複数配置した状態を表現する（多面付けされた状態を表現する）多面付展開図データＤＤαを作成する。なお、係る多面付けに際しては、限られた範囲内にできるだけ効率的に展開形状像が配置されるよう、それぞれの展開形状像の配置位置や向きが工夫されることが好ましい（図１６参照）。
【００８８】
マスク領域作成部３７３は、多面付展開図データＤＤαに基づき、多面付展開図データＤＤαが表現する複数の展開図における絵柄画像の配置領域を表すマスク領域を特定するマスク作成処理を実現する。すなわち、複数の展開図についてマスク領域を特定する点で、１つの展開図のみについてのマスク領域を特定する第１の実施の形態に係るマスク領域作成部１７３と相違するが、マスク領域の作成の態様は共通する。
【００８９】
マスク領域作成部３７３は、上述のようなマスク作成処理によって特定されたマスク領域の設定内容を記述した第１マスクデータＤＭ１αを生成する。
【００９０】
固着関係特定部３７４は、第１の実施の形態に係る固着関係特定部１７４と同様に、製函ルールＲＬに基づいて、固着関係データＤＲαを生成する。本実施の形態においては、対象となる展開図が複数あるので、固着関係データＤＲαには、それぞれの展開図における固着関係を特定する内容が記述される。なお、本実施の形態においても、固着関係データＤＲαの記述形式は、後段の処理において参照可能である限り特に限定されない。
【００９１】
副板イメージ設定部３７５は、第１の実施の形態に係る副板イメージ設定部１７５と同様に、絵柄補償処理を担う。ただし、本実施の形態においては、多面付展開図データＤＤαが表現する複数の展開図を対象として絵柄補償処理が行われる。具体的には、副板イメージ設定部３７５は、係る処理絵柄補償処理の要否を設定する処理、絵柄補償処理を行う場合の副板における絵柄画像の配置範囲を設定する処理、および、固着関係データＤＲに記述された固着関係に基づいて、それぞれの副板に配置する絵柄画像を決定する処理などを担う。
【００９２】
係る絵柄補償処理の際には、第１の実施の形態と同様に、マスク領域作成部３７３において作成された第１マスクデータＤＭ１αによって規定されてなるマスク領域が、適宜に修正される。係る修正後のマスク領域を記述するデータを第２マスクデータＤＭ２αと称する。また、第１イメージデータＤＩ１αに副板部分に配置する絵柄画像の内容を付加したデータを、第２イメージデータＤＩ２αと称する。
【００９３】
イメージ−展開図結合部３７６は、マスク領域作成部３７３において設定されたマスク領域に基づいて、多面付展開図データＤＤαと第２イメージデータＤＩ２αとを結合（合成）して、複数の紙器画像が２次元的に配置された状態を表現する面付データＤＬαを生成する。
【００９４】
イメージ添付展開図出力部３７７は、イメージ−展開図結合部３７６において生成された面付データＤＬαを出力処理装置４へと出力する処理を担う。
【００９５】
＜面付データの生成手順＞
図１５は、本実施の形態に係る面付処理装置３における面付データＤＬαの生成までの手順を示す図である。本実施の形態に係る面付処理装置３は、上述のような構成を有することにより、面付された複数の紙器画像についての絵柄補償処理を、一括して行うことができる、という特徴を有してなる。これはすなわち、面付データＤＬαが、複数の紙器についてのレイアウトデータを含むデータであるということでもある。なお、以下の説明においても、第１の実施の形態におけるレイアウトデータの作成手順の説明と同様、副板イメージ領域ＲＥｓの設定までは一律に行い、その後のイメージの拡張や合成については、紙器のデザイン内容に応じて、個々の副板ｓｂについて個別に設定する場合を対象として説明する。
【００９６】
まず、入力部１３を介してオペレータから与えられる所定の取得指示に応答して、データ取得部３７１が、紙器形状データ生成装置２から展開図データＤＤと製函ルールＲＬとを取得する（ステップＳ３１）。さらに、データ取得部３７１が、デザイン処理装置１から、該紙器についてのデザインを表現する第１イメージデータＤＩ１を取得する（ステップＳ３２）。なお、ステップＳ３１とステップＳ３２の処理は入れ替わってもよい。
【００９７】
次に、展開図多面付部３７２の作用により、得られた展開図データＤＤに基づいて、該展開図データＤＤによって表現される紙器の展開形状像が多面付けされた状態を表現する多面付展開図データＤＤαが作成される（ステップＳ３３）。
【００９８】
次に、マスク領域作成部３７３の作用により、多面付展開図データＤＤαについてのマスク作成処理が行われ、第１マスクデータＤＭ１αが生成される（ステップＳ３４）。
【００９９】
次に、固着関係特定部３７４が、製函ルールＲＬに基づいて、多面付展開図データＤＤαにおいて表現されるそれぞれの展開図における主板ｍｂの固着関係を特定し、固着関係データＤＲαを生成する（ステップＳ３５）。
【０１００】
得られた固着関係データＤＲαに基づいて、副板イメージ設定部３７５が、それぞれの副板ｓｂに副板イメージ領域ＲＥｓを設定する（ステップＳ３６）。副板イメージ領域ＲＥｓは、あらかじめ指定された設定幅ｗを有するように設定される。
【０１０１】
副板イメージ領域ＲＥｓが設定されると、オペレータによって、個々の副板イメージ領域ＲＥｓについて、絵柄補償処理の要否が設定される（ステップＳ３７）。絵柄補償処理を行うよう設定された副板イメージ領域ＲＥｓについては、絵柄補償処理が実行される（ステップＳ３８）。すなわち、副板イメージ設定部３７５の作用により、隣接する主板ｍｂあるいは重なり合う主板ｍｂのイメージの一部を該副板イメージ領域ＲＥｓのイメージとして取得する処理が実行される。具体的には、第１の実施の形態に係る副板イメージ設定部１７５によって実現される態様と同様に、オペレータによって選択された第１あるいは第２の絵柄画像設定方法のいずれかによる、第２マスクデータＤＭ２αの生成および第２イメージデータＤＩ２αの生成が行われることになる。
【０１０２】
一方、絵柄補償処理を行わないよう設定された副板イメージ領域ＲＥｓについては、設定された副板イメージ領域ＲＥｓは無視され、第１マスクデータＤＭ１αで特定されたマスク領域がそのまま維持される（ステップＳ３９）。
【０１０３】
絵柄補償処理が行われると、イメージ−展開図結合部３７６の作用により、該絵柄補償処理を経ることで得られた第２イメージデータＤＩ２αと多面付展開図データＤＤαとが結合され、イメージが配置された状態の展開図を表現する面付データＤＬαが生成される（ステップＳ４０）。図１６は、面付データＤＬαを例示する図である。斜線は絵柄画像が配置された領域を概略的に示しているが、図示の都合上、必ずしも厳密に領域を規定しているわけではない。
【０１０４】
このようにして得られた面付データＤＬαにおいては、面付された複数の紙器画像について必要とされた絵柄補償処理がすべて行われていることになる。得られた面付データＤＬαは、出力処理装置４によって行われる出力工程に供される（ステップＳ４１）。その際には、面付処理装置３において面付データＤＬαのラスタライズ処理を行ってもよいし、出力処理装置４の側で係るラスタライズ処理を行うようにしてもよい。
【０１０５】
以上、説明したように、本実施の形態においては、展開図を多面付けした後に、イメージをそれぞれに結合するに際して、絵柄補償処理を行うようにすることで、複数の紙器画像について一括して、絵柄補償処理を行うことができる。加えて、第１の実施の形態と同様に、それぞれの紙器の組み立ての際、糊付け時に主板同士が設計通りの位置から多少ずれて固着されたとしても、無地の下地が露出してしまうことが抑制されるので、紙器の品質（美観）の劣化をデザイン工程の段階で抑制することができる。また、絵柄補償処理は、製函ルールＲＬに基づいて記述された固着関係データＤＲを参照しつつ行われるので、オペレータがマニュアルで絵柄画像の取捨選択や回転・合成などを行う必要はない。よって、スキルの低いオペレータであっても、容易に絵柄補償処理を行うことができる。
【図面の簡単な説明】
【０１０６】
【図１】本発明の紙器作製システム１０の構成を模式的に示す図である。
【図２】本発明の適用対象の一例としての紙器の展開図ｄｖ１を示す図である。
【図３】第１の実施の形態に係るデザイン処理装置１の構成を模式的に示す図である。
【図４】第１の実施の形態において、主にデザイン処理装置１における種々のデータの流れを模式的に示す図である。
【図５】絵柄画像の作成領域ＲＥ１を例示する図である。
【図６】マスク領域ＲＥ２を例示する図である。
【図７】展開図ｄｖ１についての固着関係データＤＲの記述内容を例示する図である。
【図８】絵柄補償処理の概念を説明するための図である。
【図９】絵柄補償処理の概念を説明するための図である。
【図１０】第２マスクデータＤＭ２に記述されてなるマスク領域ＲＥ２の、主板ｍｂ（Ｂ）の近傍の様子を例示する図である。
【図１１】第１の形態に係るデザイン処理装置１におけるレイアウトデータＤＬの生成までの手順を示す図である。
【図１２】第２の実施の形態に係る面付処理装置３の構成を模式的に示す図である。
【図１３】第２の実施の形態において、面付処理装置３に与えられるデータを説明する図である。
【図１４】第２の実施の形態において、面付処理装置３における種々のデータの流れを模式的に示す図である。
【図１５】第２の実施の形態に係る面付処理装置３における面付データＤＬαの生成までの手順を示す図である。
【図１６】面付データＤＬαを例示する図である。
【符号の説明】
【０１０７】
１  デザイン処理装置
２  紙器形状データ生成装置
３  面付処理装置
４  出力処理装置
１０  紙器作製システム
１１、３１  ＣＰＵ
１２、３２  表示部
１３、３３  入力部
１４、３４  ネットワークＩ／Ｆ
１５、３５  メディアドライブ
１６、３６  記憶部
１７、３７  メモリ
１８、３８  メディアディスク
Ｎ  ネットワーク
ＲＥ１  （絵柄画像の）作成領域
ＲＥ２  マスク領域
ＲＥｓ  副板イメージ領域
ｄｖ１  展開図
ｍｂ  主板
ｓｂ  副板
ｗ  （副板イメージ領域の）設定幅
【図１】
2008310745.tif 000003
【図２】
2008310745.tif 000004
【図３】
2008310745.tif 000005
【図４】
2008310745.tif 000006
【図５】
2008310745.tif 000007
【図６】
2008310745.tif 000008
【図７】
2008310745.tif 000009
【図８】
2008310745.tif 000010
【図９】
2008310745.tif 000011
【図１０】
2008310745.tif 000012
【図１１】
2008310745.tif 000013
【図１２】
2008310745.tif 000014
【図１３】
2008310745.tif 000015
【図１４】
2008310745.tif 000016
【図１５】
2008310745.tif 000017
【図１６】
2008310745.tif 000018